(57)【要約】【課題】天井に設置され、直接風による体感温度の減少や室内の空気の循環に使用される空気撹拌機において、冬季において居住者が気流感を感じることなく、快適で省エネな室内環境を提供することを目的とする。【解決手段】送風手段１と吸込口２を有する筐体３と、吹出口５を有する吹出フード６と、吹出フード６を天井面と水平方向へ回転させる吹出フード回転手段７とを有する構成にしたことにより、少ない風量で室内空気の撹拌が行えるため、吸込口２近傍の風速を低下させることができ、冬季において居住者が気流感を感じることなく、快適で省エネな室内環境が得られる。【選択図】図１
2011094894.tif 000002
【特許請求の範囲】
【請求項１】
天井に据付可能な空気撹拌機において、送風手段と吸込口を有する筐体と、前記筐体を天井面に取り付ける筐体取付手段と、前記筐体と接続し、前記送風手段から送られる気流を吹き出す吹出口を有する吹出フードと、前記吹出フードを天井面と水平方向へ回転させる吹出フード回転手段とを有することを特徴とする空気撹拌機。
【請求項２】
天井に据付可能な空気撹拌機において、送風手段と吸込口を有し、かつ前記送風手段から送られる気流を吹き出す吹出口を有する本体と、前記本体を回転可能に支持し、前記本体を天井面に取り付ける本体取付手段と、前記本体を天井面と水平方向へと回転させる本体回転手段とを有することを特徴とする空気撹拌機。
【請求項３】
前記送風手段が軸流送風機であることを特徴とする請求項１または２のいずれか１項に記載の空気撹拌機。
【請求項４】
前記送風手段が遠心送風機であることを特徴とする請求項１または２のいずれか１項に記載の空気撹拌機。
【請求項５】
前記送風手段が横断流送風機であることを特徴とする請求項１または２のいずれか１項に記載の空気撹拌機。
【請求項６】
前記吹出フードまたは前記本体の回転面を傾斜させる傾斜手段を有することを特徴とする請求項１から５のいずれか１項に記載の空気撹拌機。
【請求項７】
前記吹出フードまたは前記本体の吹出口の開口面積を縮小するノズルを有することを特徴とする請求項１から６のいずれか１項に記載の空気撹拌機。
【請求項８】
前記吹出フードまたは前記本体の回転方向に向かって気流を吹き出すことを特徴とする請求項１から７のいずれか１項に記載の空気撹拌機。
【請求項９】
前記吹出口の回転中心を一方に偏らせてなることを特徴とする請求項１から８のいずれか１項に記載の空気撹拌機。
【請求項１０】
前記吹出フードまたは前記本体の吹出口の開口面積よりも、吸込口の開口面積が大きいことを特徴とする請求項１から９のいずれか１項に記載の空気撹拌機。
【請求項１１】
前記吸込口に、前記吸込口の開口面積を拡大するベルマウスを有することを特徴とする請求項１０に記載の空気撹拌機。
【請求項１２】
前記吸込口の吸込風速が均一になるよう、前記吸込口に圧損体を有することを特徴とする請求項１から１１のいずれか１項に記載の空気撹拌機。
【請求項１３】
前記圧損体が、ほこり等の粒子状物質を吸着するフィルターであることを特徴とする請求項１２に記載の空気撹拌機。
【請求項１４】
前記圧損体が、整流板であることを特徴とする請求項１２に記載の空気撹拌機。
【請求項１５】
前記吹出フードまたは前記本体または前記ノズルの吹出口の開口形状において、天井面と垂直方向の長さよりも、天井面と水平方向の長さが長いことを特徴とする請求項１から１４のいずれか１項に記載の空気撹拌機。
【請求項１６】
前記吹出フードまたは前記本体または前記ノズルの吹出口に、風向変更板を有することを特徴とする請求項１から１５のいずれか１項に記載の空気撹拌機。
【請求項１７】
前記風向変更板の角度を変更する風向変更手段を有することを特徴とする請求項１６に記載の空気撹拌機。
【請求項１８】
前記風向変更手段は、前記風向変更手段の流路の側面部を覆うフラップを有することを特徴とする請求項１７に記載の空気撹拌機。
【請求項１９】
前記フラップが、吹出口を開閉する蓋となる請求項１８に記載の空気撹拌機。
【請求項２０】
前記吹出フードまたは前記本体が、複数の吹出口を有することを特徴とする請求項１から１９のいずれか１項に記載の空気撹拌機。
【請求項２１】
前記吹出フードまたは前記本体の外観が、天井扇様であることを特徴とする請求項２０に記載の空気撹拌機。
【発明の詳細な説明】
【技術分野】
【０００１】
本発明は、天井に設置され、直接風による体感温度の減少や室内の空気の循環に使用される空気撹拌機に関するものである。
【背景技術】
【０００２】
従来、この種の空気撹拌機は、長板状の羽根板の一端を支持する接続部材を介して、電動機により回転する回転体に固定するものが知られている（例えば、特許文献１参照）。
【０００３】
以下、その空気撹拌機について図２０を参照しながら説明する。
【０００４】
図２０に示すように、空気撹拌機１０１の全体構成はキャノピー（  上カバー）１０２と中カバー１０３と電動機の外側回転体１０４と下カバー１０５と、外側回転体１０４のホルダー１０６に羽根１０７が取り付けられているものからなり、キャノピー１０２の内部の簡易取り付け金具１０８が天井１０９にネジ止めされて空気撹拌機１０１は吊り下げられている。
【０００５】
上記構成において、羽根１０７は回転軸を中心とする周方向に所定の角度を持って取り付けられており、電動機により羽根１０７が回転すると、羽根１０７の昇圧作用により、正方向の回転では羽根１０７の外周から天井１０９と羽根１０７の間を通った空気が下方に送風され、逆回転では羽根１０７の下方から天井１０９と羽根１０７の間を通って羽根１０７の外周に送風される。よって、主に夏季に空気撹拌機１０１の直下付近で涼を取る場合は正回転で使用され、主に冬季に、直接風で冷風感を感じないように部屋全体の空気の循環を促す場合は逆回転で使用される。
【先行技術文献】
【特許文献】
【０００６】
【特許文献１】特開平１１−２１０６７８号公報（第２−４頁、第１図）
【発明の概要】
【発明が解決しようとする課題】
【０００７】
このような従来の空気撹拌機では、直接風で冷風感を感じないよう、逆回転による空気の撹拌を行っているものの、実際には、逆回転で室内空気の循環を十分に行える風量を得ようとすると、居住者に体感される気流が発生し、居住者が肌寒く感じるため、冬季に空気撹拌機を運転することが敬遠されているという課題がある。逆回転時において、居住者に体感される気流が発生する理由は、以下のような原理による。
【０００８】
羽根１０７の下方から天井１０９と羽根１０７の間に送られた空気は、天井面に衝突しつつ、天井面との摩擦を受けながら、外周側へと全周方向に吹き出す。全周方向に吹き出された気流は、床面に到達した後、空気撹拌機の吸込気流に誘引され、空気撹拌機の直下部で合成されるため、居住者に体感される気流が室内の中央部付近に発生することとなる。
【０００９】
そこで本発明は、上記従来の課題を解決するものであり、冬季において居住者が気流感を感じることなく、室内の空気の循環を行うことのできる空気撹拌機を提供することを目的とする。
【課題を解決するための手段】
【００１０】
そして、この目的を達成するために、本発明は、天井に据付可能な空気撹拌機において、送風手段と吸込口を有する筐体と、前記筐体を天井面に取り付ける筐体取付手段と、前記筐体と接続し、前記送風手段から送られる気流を吹き出す吹出口を有する吹出フードと、前記吹出フードを天井面と水平方向へ回転させる吹出フード回転手段とを有することを特徴とする空気撹拌機としたものであり、これにより所期の目的を達成するものである。
【発明の効果】
【００１１】
本発明によれば、天井に据付可能な空気撹拌機において、送風手段と吸込口を有する筐体と、前記筐体を天井面に取り付ける筐体取付手段と、前記筐体と接続し、前記送風手段から送られる気流を吹き出す吹出口を有する吹出フードと、前記吹出フードを天井面と水平方向へ回転させる吹出フード回転手段とを有する構成にしたことにより、冬季において居住者が気流感を感じることなく、室内の空気を循環することができ、快適で省エネな室内環境を提供することができるという効果のある空気撹拌機を提供することができる。
【図面の簡単な説明】
【００１２】
【図１】（ａ）本発明の実施の形態１の空気撹拌機を示す斜視図、（ｂ）本発明の実施の形態１の空気撹拌機の断面を示す構成図
【図２】本発明の実施の形態１の空気撹拌機を示す底面図
【図３】本発明の実施の形態１の吹出フード回転手段の断面を示す構成図
【図４】本発明の実施の形態１の空気撹拌機が住宅内に設置された場合の参考図
【図５】本発明の実施の形態２の空気撹拌機を示す斜視図
【図６】本発明の実施の形態２の空気撹拌機の断面を示す構成図
【図７】本発明の実施の形態２の本体回転手段の断面を示す構成図
【図８】本発明の実施の形態３の空気撹拌機を示す斜視図
【図９】本発明の実施の形態３の空気撹拌機を示す上面図
【図１０】本発明の実施の形態３の空気撹拌機停止時の斜視図
【図１１】本発明の実施の形態３の空気撹拌機を示す底面図
【図１２】本発明の実施の形態３の空気撹拌機を示す側面図
【図１３】本発明の実施の形態３の空気撹拌機を示す上面図
【図１４】本発明の実施の形態４の空気撹拌機を示す斜視図
【図１５】本発明の実施の形態５の空気撹拌機を示す斜視図
【図１６】本発明の実施の形態６の空気撹拌機を示す斜視図
【図１７】本発明の実施の形態６の空気撹拌機を示す側面図
【図１８】本発明の実施の形態６の送風手段を示す底面図
【図１９】本発明の実施の形態６の空気撹拌機を示す底面図
【図２０】従来の空気撹拌機を示す側面図
【発明を実施するための形態】
【００１３】
本発明の請求項１記載の空気撹拌機は、天井に据付可能な空気撹拌機において、送風手段と吸込口を有する筐体と、筐体を天井面に取り付ける筐体取付手段と、筐体と接続し、送風手段から送られる気流を吹き出す吹出口を有する吹出フードと、吹出フードを天井面と水平方向へ回転させる吹出フード回転手段とを有するという構成である。
【００１４】
これにより、吹出口を回転させながら気流を送ることで、断続的ではあるが全周方向に気流を送ることになり、上部に停滞した暖かい空気を床面付近に輸送することができる。従って、少ない風量で室内空気の撹拌が行えるため、吸込口近傍の風速を低下させることができ、冬季において居住者が気流感を感じることなく、快適で省エネな室内環境を提供することができるという効果を奏する。
【００１５】
また、天井に据付可能な空気撹拌機において、送風手段と吸込口を有し、かつ送風手段から送られる気流を吹き出す吹出口を有する本体と、本体を回転可能に支持し、本体を天井面に取り付ける本体取付手段と、本体を天井面と水平方向へと回転させる本体回転手段とを有するという構成にしてもよい。
【００１６】
これにより、吹出口を回転させながら気流を送ることで、断続的ではあるが全周方向に気流を送ることになり、上部に停滞した暖かい空気を床面付近に輸送することができる。従って、少ない風量で室内空気の撹拌が行えるため、吸込口近傍の風速を低下させることができ、冬季において居住者が気流感を感じることなく、快適で省エネな室内環境を提供することができるという効果を奏する。
【００１７】
また、送風手段が軸流送風機であるという構成にしてもよい。
【００１８】
これにより、静圧の低い軸流送風機を利用することで、吸込口付近の静圧の上昇に対しても風量を低下させることがないので、吸込口の回転等によって吸込口付近の静圧が上昇するような場合であっても、快適で省エネな室内環境を提供することができるという効果を奏する。
【００１９】
また、送風手段が遠心送風機であるという構成にしてもよい。
【００２０】
これにより、天井に設置された空気撹拌機の真下から気流を吸込み、部屋の側面方向に吹き出すという風路構成にすることが可能になるので、低圧損で室内空気の撹拌をすることができ、快適で省エネな室内環境を提供することができるという効果を奏する。
【００２１】
また、送風手段が横断流送風機であるという構成にしてもよい。
【００２２】
これにより、吹出口を横長に設定することで、吹出方向の気流範囲を幅広くすることができ、吹出口の回転速度を低くして、吸込口付近の静圧の上昇を防ぐことができる。従って、低圧損で室内空気の拡販をすることができ、快適で省エネな室内環境を提供することができるという効果を奏する。
【００２３】
また、吹出フードまたは本体の回転面を傾斜させる傾斜手段を有するという構成にしてもよい。
【００２４】
これにより、回転面を傾斜することで、気流の吹出方向を調節することができるようになるので、冬季は居住者が気流感を感じることなく、室内空気の循環を行うことができ、さらに夏季には、直接居住者方向に送風することによって涼を取るとともに、足元付近に停滞する冷気を撹拌することができ、年中通じて快適で省エネな室内環境を提供することができるという効果を奏する。
【００２５】
また、吹出フードまたは本体の吹出口の開口面積を縮小するノズルを有するという構成にしてもよい。
【００２６】
これにより、気流の吹出面積を小さくして気流の風速を早めることで、単位時間当たりに気流が到達できる距離を長くすることができるようになり、少ない消費電力で室内空気の撹拌を行うことができるため、快適で省エネな室内環境を提供することができるという効果を奏する。
【００２７】
また、吹出フードまたは本体の回転方向に向かって気流を吹き出すという構成にしてもよい。
【００２８】
これにより、室内空気は吹出口から吹き出された気流に誘引され、部屋全体の空気が吹出フードまたは本体の回転方向へと緩やかに回転し、低風速で室内空気の循環ができるようになるので、冬季において居住者が気流感を感じることなく、快適で省エネな室内環境を提供することができるという効果を奏する。
【００２９】
また、吹出口の回転中心を一方に偏らせてなるという構成にしてもよい。
【００３０】
これにより、吹出フードまたは本体の、回転方向に向かって気流を吹き出すこととなり、室内空気は吹出口から吹き出された気流に誘引され、部屋全体の空気が吹出フードまたは本体の回転方向へと緩やかに回転し、低風速で室内空気の循環ができるようになるので、冬季において居住者が気流感を感じることなく、快適で省エネな室内環境を提供することができるという効果を奏する。
【００３１】
また、吹出フードまたは本体の、吹出口の開口面積よりも、吸込口の開口面積が大きいという構成にしてもよい。
【００３２】
これにより、吸込口の開口面積を大きくすることによって、吸込風速を減少させることができるようになるので、冬季において居住者が気流感を感じることなく、快適で省エネな室内環境を提供することができるという効果を奏する。
【００３３】
また、吸込口に、吸込口の開口面積を拡大するベルマウスを有するという構成にしてもよい。
【００３４】
これにより、吸込口の開口面積を大きくすることによって、吸込風速を減少させることができるようになるので、冬季において居住者が気流感を感じることなく、快適で省エネな室内環境を提供することができるという効果を奏する。
【００３５】
また、吸込口の吸込風速が均一になるよう、吸込口に圧損体を有するという構成にしてもよい。
【００３６】
これにより、吸込口の開口面積に対して、均等に風速を分散させることができるようになるので、冬季において居住者が気流感を感じることなく、快適で省エネな室内環境を提供することができるという効果を奏する。
【００３７】
また、圧損体が、ほこり等の粒子状物質を吸着するフィルターであるという構成にしてもよい。
【００３８】
これにより、吸込口の開口面積に対して、均等に風速を分散させるとともに、室内空気に含まれるほこりや臭い等を除去できるようになるので、快適で省エネな室内環境を提供することができるという効果を奏する。
【００３９】
また、圧損体が、整流板であるという構成にしてもよい。
【００４０】
これにより、吸込口の開口面積に対して、均等に風速を分散させることができるようになるので、冬季において居住者が気流感を感じることなく、快適で省エネな室内環境を提供することができるという効果を奏する。
【００４１】
また、吹出フードまたは本体またはノズルの吹出口の開口形状において、天井面と垂直方向の長さよりも、天井面と水平方向の長さが長いという構成にしてもよい。
【００４２】
これにより、吹出口を横長に設定することで、吹出方向の気流範囲を幅広くすることができ、吹出口の回転速度を低くして、吸込口付近の静圧の上昇を防ぐことができるようになるので、冬季において居住者が気流感を感じることなく、快適で省エネな室内環境を提供することができるという効果を奏する。
【００４３】
また、吹出フードまたは本体またはノズルの吹出口に、風向変更板を有するという構成にしてもよい。
【００４４】
これにより、気流の吹出方向や吹出幅を調整することができるようになるので、冬季において居住者が気流感を感じることなく、快適で省エネな室内環境を提供することができるという効果を奏する。
【００４５】
また、風向変更板の角度を変更する風向変更手段を有するという構成にしてもよい。
【００４６】
これにより、気流の吹出方向や吹出幅を自動調整することができるようになるので、冬季において居住者が気流感を感じることなく、快適で省エネな室内環境を提供することができるという効果を奏する。
【００４７】
また、風向変更手段は、風向変更手段の流路の側面部を覆うフラップを有するという構成にしてもよい。
【００４８】
これにより、フラップにより気流を整流化し、風向変更板による気流の制御性能を向上させることができるようになるので、冬季において居住者が気流感を感じることなく、快適で省エネな室内環境を提供することができるという効果を奏する。
【００４９】
また、フラップが、吹出口を開閉する蓋となるという構成にしてもよい。
【００５０】
これにより、送風手段が停止している場合は、フラップの開口部ではない面で吹出口を塞ぐようにすることができるようになるので、空気撹拌機の外観を向上することができるという効果を奏する。
【００５１】
また、吹出フードまたは本体が、複数の吹出口を有するという構成にしてもよい。
【００５２】
これにより、１回の回転により、複数回の気流を吹き出すことができるようになるので、冬季において居住者が気流感を感じることなく、快適で省エネな室内環境を提供することができるという効果を奏する。
【００５３】
また、吹出フードまたは本体の外観が、天井扇様であるという構成にしてもよい。
【００５４】
これにより、天井扇と同様の外観を得つつ、少ない風速で室内空気の撹拌を行うことができるようになるので、空気撹拌機の外観を向上することができるという効果を奏する。
【００５５】
以下、本発明の実施の形態について図面を参照しながら説明する。
【００５６】
（実施の形態１）
まず、実施の形態１の構成について説明する。
【００５７】
図１（ａ）、図１（ｂ）、図２に示すように、送風手段１と吸込口２を有する筐体３と、筐体３を天井面に取り付ける筐体取付手段４と、筐体３と接続し、送風手段１から送られる気流を吹き出す吹出口５を有する吹出フード６と、吹出フード６を天井面と水平方向へ回転させる吹出フード回転手段７とを有するものである。送風手段１は、電動機８と遠心送風機９から構成されている。
【００５８】
また筐体取付手段４は、住宅の天井部に設置されている引掛シーリングや引掛ローゼット等に取付可能な一対の引掛刃１０を有しているものとする。
【００５９】
また図３に示すように、吹出フード回転手段７は、内側に固定子１１と、外側に回転子１２と、筐体３上部に回転可能に支持する車輪１３とから成り、回転磁界の生成によって、吹出フード６を回転させるものとする。
【００６０】
図１（ａ）では、一例として吹出フード６の外径を２６０ｍｍ、吹出フード６の高さを８４ｍｍとし、吸込口２面積を約６０００ｍｍ２、吹出口５面積を約４０００ｍｍ２として、吹出口５面積よりも吸込口２面積を大きくし、吸込口２近傍の吸込風速を低下させる構成としている。
【００６１】
また、部屋の大きさを１０畳、天井高を２．５ｍの部屋の中央部に空気撹拌機を設置し、吹出風速を２〜３ｍ／ｓにした場合、回転速度は概ね０．５〜３．０ｒｐｍとすると、下記の式（１）で定義される温度ムラ撹拌率を約８０％程度にすることが可能となる。
温度ムラ撹拌率＝（Δｔ−Δｔ´）／Δｔ    ・・・式（１）
【００６２】
ここで、Δｔは空気撹拌機運転前における部屋の床から１００ｍｍの高さにおける温度と、部屋の天井から１００ｍｍの高さにおける温度との温度差を示し、Δｔ´は空気撹拌機運転後における部屋の床から１００ｍｍの高さにおける温度と、部屋の天井から１００ｍｍの高さにおける温度との温度差を示している。ただし、回転速度の最適値は、部屋の大きさや天井高等の条件によって異なる。
【００６３】
図１（ａ）の矢印で示したように、この構成によれば、筐体３底部の吸込口２から気流を吸い込み、吹出フード６の吹出口５から気流を吹き出すこととなる。図４に示すように、吹出フード６は図中の矢印のように回転し、吹出口５から吹き出された気流は、吹出フード６の回転方向に対して垂直方向に吹き出し、部屋の壁面１４方向に断続的に吹き出される。これにより、吹出口５を回転させながら気流を送ることで、断続的ではあるが全周方向に気流を送ることになり、上部に停滞した暖かい空気を床面付近に輸送することができる。従って、少ない風量で室内空気の撹拌が行えるため、吸込口２近傍の風速を低下させることができる。
【００６４】
また、送風手段１を遠心送風機９とすることで、天井に設置された空気撹拌機の真下から気流を吸込み、部屋の側面方向に吹き出すという風路構成にすることが可能になるので、低圧損で室内空気の撹拌をすることができる。
【００６５】
また、吹出フード６または本体１５の吹出口５の開口面積よりも、吸込口２の開口面積を大きくすることで、吸込風速を減少させることができ、本体１５の真下に居住者が居る場合でも、居住者が気流感を感じることなく、室内空気の撹拌が行える。
【００６６】
このように、本発明の実施の形態１によれば、冬季において居住者が気流感を感じることなく、上部に停滞した暖かい空気を床面付近に輸送することができ室内空気の撹拌が行えるため、快適で省エネな室内環境を提供することができる。
【００６７】
なお、吸込口２付近の風速が低く、居住域の平均風速が、人体が感じることのない不感風速（０．１５ｍ／ｓ）以下である場合は、吸込口２の面積が吹出口５の面積よりも大きくなくとも、同様の効果を有するものである。
【００６８】
（実施の形態２）
まず、実施の形態２の構成について説明する。
【００６９】
図５、図６において、実施の形態１と同様の構成要素については同一の符号を付与し、その詳細な説明は省略する。
【００７０】
図５、図６に示すように、送風手段１と吸込口２を有し、かつ送風手段１から送られる気流を吹き出す吹出口５を有する本体１５と、本体１５を回転可能に支持し、本体１５を天井面に取り付ける本体取付手段１６と、本体１５を天井面と水平方向へと回転させる本体回転手段１７とを有するものである。
【００７１】
また、本体１５の回転面を傾斜させる傾斜手段１８を有するものとする。
【００７２】
また、本体１５の吹出口５に、本体１５の吹出口５の開口面積を縮小するノズル１９を有するものとする。
【００７３】
また、本体１５の吸込口２に、吸込口２の開口面積を拡大するベルマウス２０を有するものとする。
【００７４】
また、送風手段１は電動機８と軸流送風機２１から構成されているものとする。
【００７５】
また、本体１５の吸込口２に、圧損体である整流板２２を有するものとする。
【００７６】
また、図７に示すように、本体回転手段１７は、本体１５と直結する第１の歯車２３を有し、その第１の歯車２３と連結する第２の歯車２４に、本体回転用電動機２５が動力を伝達し、本体１５を自由に回転するものとする。
【００７７】
この構成によれば、吹出口５を回転させながら気流を送ることで、断続的ではあるが全周方向に気流を送ることになり、上部に停滞した暖かい空気を床面付近に輸送することができる。従って、少ない風量で室内空気の撹拌が行えるため、吸込口２近傍の風速を低下させることができる。
【００７８】
また、傾斜手段１８により回転面を傾斜することで、気流の吹出方向を調節することができるようになるので、冬季は居住者が気流感を感じることなく、室内空気の循環を行うことができ、さらに夏季には、居住者方向に送風することによって涼を取ることができる。
【００７９】
図５では一例として、部屋の大きさを１０畳、天井高を２．５ｍの部屋の中央部に空気撹拌機を設置し、ノズル１９の外径を１３０ｍｍ、ベルマウス２０の外径を１７０ｍｍ、本体の外径を１５０ｍｍとする。傾斜手段によって本体を傾斜させた場合における、天井面と吹出方向とのなす角度を傾斜角度とし、吹出口からの吹出風速を２〜３ｍ／ｓ、本体の回転速度を２ｒｐｍとした場合、冬季に使用する場合は、傾斜角度を０〜４５度の間に保つ必要がある。４５度以上の角度で吹出した場合、吹出風速によって本体直下の風速が上昇してしまうため、夏季においては傾斜角度４５度以上で使用する。ただし、傾斜角度の最適値は部屋の大きさや天井高等の条件によって異なる。
【００８０】
また、ノズル１９により、気流の吹出面積を小さくして気流の風速を早めることで、単位時間当たりに気流が到達できる距離を長くすることができるようになり、少ない消費電力で室内空気の撹拌を行うことができる。
【００８１】
また、ベルマウス２０により、吸込口２の開口面積を大きくすることによって、吸込風速を減少させることができる。
【００８２】
また、送風手段１を軸流送風機２１とすることで、吸込口２付近の静圧が上昇するような構成であっても、風量の低下を防止することができる。
【００８３】
また、圧損体を整流板２２とすることで、吸込口２の開口面積に対して均等に風速を分散させることができる。
【００８４】
このように、本発明の実施の形態２によれば、夏季においては気流により涼を感じるとともに、足元付近に停滞する冷気を撹拌することができ、冬季においては居住者が気流感を感じることがないので、年中通して快適で省エネな室内環境を提供することができる。
【００８５】
なお、空気撹拌機の風量に対して室内空間が狭い場合等は、ノズル１９がなくとも同様の効果を有するものである。
【００８６】
また、吸込口２付近の風速が低く、居住域の平均風速が、人体が感じることのない不感風速（０．１５ｍ／ｓ）以下である場合は、ベルマウス２０や整流板２２がなくとも、同様の効果を有するものである。
【００８７】
また、吸込口２付近の静圧が十分低い場合は、送風手段１が軸流送風機２１でなくとも、同様の効果を有するものである。
【００８８】
（実施の形態３）
まず、実施の形態３の構成について説明する。
【００８９】
図８〜１０において、実施の形態１〜実施の形態２のいずれかと同様の構成要素については同一の符号を付与し、その詳細な説明は省略する。
【００９０】
図８〜１０に示すように、送風手段１と吸込口２を有し、かつ送風手段１から送られる気流を吹き出す吹出口５を有する本体１５と、本体１５を回転可能に支持し、本体１５を天井面に取り付ける本体取付手段１６と、本体１５を天井面と水平方向へと回転させる本体回転手段１７とを有するものである。なお、本体回転手段１７は、実施の形態２と同様の構成とし、詳細な説明は省略する。
【００９１】
また、吹出口５から吹き出される気流が、本体１５の回転方向に向かって吹き出すよう、吹出口５の回転中心を一方に偏らせてなる構成とする。
【００９２】
また、本体１５の吹出口５に、風向変更板２６および風向変更板２６の角度を変更できる風向変更手段２７を有する構成とする。風向変更手段２７は、風向変更手段２７の流路の側面部を覆うフラップ２８を備え、図１０に示すように、送風手段１が停止している時は、フラップ２８によって吹出口５を覆い、蓋となる構成とする。なお、本実施の形態では、一例として風向変更手段２７が風向変更用電動機２９を有し、自動で風向を変更できるようになっている。
【００９３】
また、本体１５の吹出口５の開口形状が、天井面と垂直方向の長さよりも、天井面と水平方向の長さが長い構成とする。
【００９４】
また、送風手段１は電動機８と横断流送風機３０から構成されているものとする。
【００９５】
また、吸込口２に、ほこり等の粒子状物質を吸着するフィルター３１を有する構成とする。
【００９６】
この構成によれば、図１２の矢印で示したような風路構成となり、なおかつ吹出口５を回転させながら気流を送ることで、断続的ではあるが全周方向に気流を送ることになり、上部に停滞した暖かい空気を床面付近に輸送することができる。従って、少ない風量で室内空気の撹拌が行えるため、吸込口２近傍の風速を低下させることができる。
【００９７】
また、図１３に示したように、本体１５は回転中心を一方に偏らせていることで、回転方向に向かって気流を吹き出すこととなり、室内空気は吹出口５から吹き出された気流に誘引され、部屋全体の空気が吹出フード６または本体１５の回転方向へと緩やかに回転し、低風速で室内空気の循環ができるようになる。
【００９８】
また、複数の風向変更板２６を有する風向変更手段２７により、気流の吹出方向や吹出幅を自動調整することができるようになる。さらに、フラップ２８により気流を整流化し、風向変更板２６による気流の制御性能を向上させることができる。そして、送風手段１が停止している場合には、フラップ２８の開口部ではない面で吹出口５を塞ぐようにすることができる。
【００９９】
また、吹出口５を横長に設定することで、吹出方向の気流範囲を幅広くすることができ、吹出口５の回転速度を低くして、吸込口２付近の静圧の上昇を防ぐことができる。
【０１００】
また、送風手段１を横断流送風機３０とすることで、吹出口５を横長に設定して吹出方向の気流範囲を幅広くすることができ、吹出口５の回転速度を低くして、吸込口２付近の静圧の上昇を防ぐことができる。従って、低圧損で室内空気の拡販をすることが可能となる。
【０１０１】
また、吸込口２にフィルター３１を設置することで、吸込口２の開口面積に対して、均等に風速を分散させるとともに、室内空気に含まれるほこりや臭い等を除去できるようになる。なお、具体的なフィルター３１の種類としては、プリーツフィルター、フィレトンフィルター、メッシュフィルターやハニカムフィルターといったものや、基材に活性炭やカテキンなどの脱臭成分を塗布したもの等が利用できる。
【０１０２】
このように、本発明の実施の形態３によれば、冬季において居住者が気流感を感じることがなく、快適で省エネな室内環境を提供することができる。また、空気撹拌機の外観を向上することができる。
【０１０３】
（実施の形態４）
まず、実施の形態４の構成について説明する。
【０１０４】
図１３において、実施の形態１〜実施の形態３のいずれかと同様の構成要素については同一の符号を付与し、その詳細な説明は省略する。
【０１０５】
図１３に示すように、実施の形態４は、実施の形態２とほぼ同様の構成であるが、異なる点としては、吹出口５付近の本体１５風路が、本体１５の回転方向に向かって湾曲している構成となっている。
【０１０６】
この構成によれば、本体１５の回転方向に向かって気流を吹き出すこととなり、室内空気は吹出口５から吹き出された気流に誘引され、部屋全体の空気が吹出フード６または本体１５の回転方向へと緩やかに回転し、低風速で室内空気の循環ができるようになる。
【０１０７】
このように、本発明の実施の形態４によれば、冬季において居住者が気流感を感じることなく、快適で省エネな室内環境を提供することができる。
【０１０８】
（実施の形態５）
まず、実施の形態５の構成について説明する。
【０１０９】
図１５において、実施の形態１〜実施の形態４のいずれかと同様の構成要素については同一の符号を付与し、その詳細な説明は省略する。
【０１１０】
図１５に示すように、本実施の形態の空気撹拌機は、天井付近に設置された軸流送風機２１と、軸流送風機２１を囲むように設置された本体１５とからなり、本体１５は天井面に回転可能に設置されている。また、本体１５には複数の吹出口５を有している。
【０１１１】
この構成によれば、天井付近に設置された軸流送風機２１は天井方向に送風を行い、天井と衝突した後に本体１５の複数の吹出口５より送風されるというような風路となる。これにより、１回の回転により、複数回の気流を吹き出すことができる。
【０１１２】
このように、本発明の実施の形態５によれば、冬季において居住者が気流感を感じることなく、快適で省エネな室内環境を提供することができる。
【０１１３】
（実施の形態６）
まず、実施の形態６の構成について説明する。
【０１１４】
図１６〜図１９において、実施の形態１〜実施の形態５のいずれかと同様の構成要素については同一の符号を付与し、その詳細な説明は省略する。
【０１１５】
図１６に示すように、本体１５は天井扇様の外観となっている。天井扇の羽根部分にあたる部分は図１７のように中空構造となっており、先端部分が吹出口５となっている。  
【０１１６】
また、本体回転手段１７は、実施の形態１と同様の固定子１１と回転子１２を有するアウターローター構造であり、固定部３２に固定子１１を、回転部３３に回転子１２を有している。
【０１１７】
また、図１８、図１９に示すように、本体１５内部には遠心送風機９と電動機８を備えており、吸込口２から空気を吸い込み、前述の羽根部分の先端から空気を吹き出すという構成となる。
【０１１８】
この構成によれば、天井扇と同様の外観を得つつ、少ない風速で室内空気の撹拌を行うことができるようになる。
【０１１９】
このように、本発明の実施の形態６によれば、空気撹拌機の外観を向上することができる。
【産業上の利用可能性】
【０１２０】
本発明にかかる空気撹拌機は、少ない風量で室内空気の撹拌が行えるため、吸込口２近傍の風速を低下させることができ、冬季において居住者が気流感を感じることなく、快適で省エネな室内環境を提供することが可能であるので、住宅用の室内空気の撹拌を目的に使用される各種送風機器等として有用である。
【符号の説明】
【０１２１】
１    送風手段
２    吸込口
３    筐体
４    筐体取付手段
５    吹出口
６    吹出フード
７    吹出フード回転手段
８    電動機
９    遠心送風機
１０  引掛刃  
１１  固定子
１２  回転子
１３  車輪
１４  壁面
１５  本体
１６  本体取付手段
１７  本体回転手段
１８  傾斜手段
１９  ノズル
２０  ベルマウス
２１  軸流送風機
２２  整流板
２３  第１の歯車
２４  第２の歯車
２５  本体回転用電動機
２６  風向変更板
２７  風向変更手段
２８  フラップ
２９  風向変更用電動機
３０  横断流送風機
３１  フィルター
３２  固定部
３３  回転部
【図１】
2011094894.tif 000003
【図２】
2011094894.tif 000004
【図３】
2011094894.tif 000005
【図４】
2011094894.tif 000006
【図５】
2011094894.tif 000007
【図６】
2011094894.tif 000008
【図７】
2011094894.tif 000009
【図８】
2011094894.tif 000010
【図９】
2011094894.tif 000011
【図１０】
2011094894.tif 000012
【図１１】
2011094894.tif 000013
【図１２】
2011094894.tif 000014
【図１３】
2011094894.tif 000015
【図１４】
2011094894.tif 000016
【図１５】
2011094894.tif 000017
【図１６】
2011094894.tif 000018
【図１７】
2011094894.tif 000019
【図１８】
2011094894.tif 000020
【図１９】
2011094894.tif 000021
【図２０】
2011094894.tif 000022